(57)【要約】【課題】ユーザーの負担を増加させることなく、原稿から読み取られる画像データの画質の最適化及び外部へ送信される画像データの保護の両方を実現可能な画像読取装置、画像形成装置、及びパスワード決定方法を提供すること。【解決手段】画像形成装置１０は、読取処理で読み取られた画像データを外部へ送信する送信処理が実行される場合に、送信対象の画像データの画質に関する質問を出力して当該質問に対する回答の入力を受け付ける受付処理部５５と、入力された前記回答に基づいて前記読取処理で読み取られる画像データの画質に関する第１設定項目の設定値を調整する第１調整処理部５８と、入力された前記回答に基づいて前記送信処理で送信される画像データの保護に用いられるパスワードを決定する決定処理部５６と、を備える。【選択図】図２
2020123764.tif 000002
【特許請求の範囲】
【請求項１】
原稿から画像データを読み取る読取処理を実行する読取処理部と、
前記読取処理で読み取られた画像データを外部へ送信する送信処理が実行される場合に、送信対象の画像データの画質に関する項目についての質問を出力して当該質問に対する回答の入力を受け付ける受付処理部と、
入力された前記回答に基づいて当該回答に対応する前記質問に対応付けられた前記読取処理で読み取られる画像データの画質に関する第１設定項目の設定値を調整する第１調整処理部と、
入力された前記回答に基づいて前記送信処理で送信される画像データの保護に用いられるパスワードを決定する決定処理部と、
を備える画像読取装置。
【請求項２】
前記受付処理部は、複数の前記項目のそれぞれについて前記質問を出力するとともに前記質問ごとに当該質問に対応する複数の回答候補を出力して、当該複数の回答候補のいずれかを指定する操作を前記回答の入力として受け付け、
前記決定処理部は、入力された前記回答各々を当該回答に対応する文字に変換して、当該変換により得られる複数の文字により構成される第１文字列を前記パスワードの一部又は全部として決定する、
請求項１に記載の画像読取装置。
【請求項３】
前記決定処理部は、前記第１文字列を前記パスワードの一部として決定し、乱数に基づいて生成される第２文字列を前記パスワードの残部として決定する、
請求項２に記載の画像読取装置。
【請求項４】
前記第１文字列を予め定められた第１方法により報知するとともに、前記第２文字列を前記第１方法とは異なる第２方法により報知する報知処理部を備える、
請求項３に記載の画像読取装置。
【請求項５】
予め定められた認証操作に応じてユーザーをログインさせる認証処理部を備え、
前記第１方法及び前記第２方法のいずれか一方は、報知対象の文字列を表示部に表示させる方法であって、他方は、報知対象の文字列をログイン中のユーザーに対応付けられた通信装置に送信する方法である、
請求項４に記載の画像読取装置。
【請求項６】
前記受付処理部による処理が実行されるごとに、前記第１調整処理部による前記第１設定項目の設定値の変更の有無を記録する記録処理部を備え、
前記受付処理部は、前記第１調整処理部による前記第１設定項目の設定値の変更が予め定められた回数以上連続して行われていない場合に、前記質問の出力及び前記回答の入力の受け付けに替えて第３文字列の入力を受け付け、
前記決定処理部は、前記受付処理部によって前記第３文字列の入力が受け付けられた場合に、入力された前記第３文字列を前記パスワードとして決定する、
請求項１〜５のいずれかに記載の画像読取装置。
【請求項７】
前記受付処理部は、複数の前記項目のそれぞれについて前記質問を出力するとともに当該複数の前記項目のうち予め定められた特定項目については前記質問を複数回出力して、出力された複数の前記質問に対応する複数の前記回答の入力を受け付け、
前記第１調整処理部は、前記特定項目についての複数の前記質問に対応する複数の前記回答が一致する場合は、入力された複数の前記回答に基づいて前記第１設定項目各々の設定値を調整し、一致しない場合は、前記第１設定項目各々の設定値を調整しない、
請求項１〜６のいずれかに記載の画像読取装置。
【請求項８】
予め定められた認証操作に応じてユーザーをログインさせる認証処理部を備え、
前記第１調整処理部は、ユーザーごとに前記第１設定項目の設定値を調整する、
請求項１〜７のいずれかに記載の画像読取装置。
【請求項９】
請求項１〜８のいずれかに記載の画像読取装置と、
シートに画像を印刷する印刷処理を実行する印刷処理部と、
前記送信処理によって送信された画像データに基づいて前記印刷処理が実行される場合に、当該画像データについて取得された前記回答に基づいて当該回答に対応する前記質問に対応付けられた前記印刷処理で印刷される画像の画質に関する第２設定項目の設定値を調整する第２調整処理部と、
を備える画像形成装置。
【請求項１０】
原稿から画像データを読み取る読取処理を実行する読取ステップと、
前記読取処理で読み取られた画像データを外部へ送信する送信処理が実行される場合に、送信対象の画像データの画質に関する項目についての質問を出力して当該質問に対する回答の入力を受け付ける受付ステップと、
入力された前記回答に基づいて当該回答に対応する前記質問に対応付けられた前記読取処理で読み取られる画像データの画質に関する第１設定項目の設定値を調整する調整ステップと、
入力された前記回答に基づいて前記送信処理で送信される画像データの保護に用いられるパスワードを決定する決定ステップと、
を含むパスワード決定方法。
【発明の詳細な説明】
【技術分野】
【０００１】
本発明は、画像読取装置、画像形成装置、及びパスワード決定方法に関する。
【背景技術】
【０００２】
原稿から読み取った画像データを外部へ送信する機能を有する画像読取装置が知られている。また、ユーザーによって入力されたパスワードを用いて送信対象の画像データを保護する機能を有する画像読取装置が知られている。
【０００３】
一方、印刷処理が実行される場合に当該印刷処理で印刷される印刷データに関する質問を出力して当該質問に対する回答の入力を受け付けることにより、当該印刷データに関する情報を収集可能な画像形成装置が知られている（特許文献１参照）。
【先行技術文献】
【特許文献】
【０００４】
【特許文献１】特開２０１１−１０１９６５号公報
【発明の概要】
【発明が解決しようとする課題】
【０００５】
ところで、画像読取装置において、原稿から画像データが読み取られた後に当該画像データの画質に関する質問を出力して当該質問に対する回答の入力を受け付けることにより、当該画像読取装置のユーザーが好む画質を把握することが可能である。また、入力された回答に基づいて読取処理に関する設定値を調整することで、画像読取装置で読み取られる画像データの画質をユーザーの好みに合わせて最適化することが可能である。
【０００６】
しかしながら、上述の送信対象の画像データを保護する機能を有する画像読取装置において、画質に関する質問の出力及び当該質問に対する回答の入力の受け付けが実行される場合には、ユーザーはパスワードの入力に加えて質問に対する回答の入力を行わなければならず、その負担が増加する。
【０００７】
本発明の目的は、ユーザーの負担を増加させることなく、原稿から読み取られる画像データの画質の最適化及び外部へ送信される画像データの保護の両方を実現可能な画像読取装置、画像形成装置、及びパスワード決定方法を提供することにある。
【課題を解決するための手段】
【０００８】
本発明の一の局面に係る画像読取装置は、読取処理部と、受付処理部と、第１調整処理部と、決定処理部とを備える。前記読取処理部は、原稿から画像データを読み取る読取処理を実行する。前記受付処理部は、前記読取処理で読み取られた画像データを外部へ送信する送信処理が実行される場合に、送信対象の画像データの画質に関する項目についての質問を出力して当該質問に対する回答の入力を受け付ける。前記第１調整処理部は、入力された前記回答に基づいて当該回答に対応する前記質問に対応付けられた前記読取処理で読み取られる画像データの画質に関する第１設定項目の設定値を調整する。前記決定処理部は、入力された前記回答に基づいて前記送信処理で送信される画像データの保護に用いられるパスワードを決定する。
【０００９】
本発明の他の局面に係る画像形成装置は、前記画像読取装置と、印刷処理部と、第２調整処理部とを備える。前記印刷処理部は、シートに画像を印刷する印刷処理を実行する。前記第２調整処理部は、外部から送信される画像データに基づいて前記印刷処理が実行される場合であって、当該画像データが前記パスワードによって保護された画像データである場合に、当該パスワードの決定に用いられた前記回答に基づいて当該回答に対応する前記質問に対応付けられた前記印刷処理で印刷される画像の画質に関する第２設定項目の設定値を調整する。
【００１０】
本発明の他の局面に係るパスワード決定方法は、読取ステップと、受付ステップと、調整ステップと、決定ステップとを含む。前記読取ステップでは、原稿から画像データを読み取る読取処理が実行される。前記受付ステップでは、前記読取処理で読み取られた画像データを外部へ送信する送信処理が実行される場合に、送信対象の画像データの画質に関する項目についての質問が出力されて当該質問に対する回答の入力が受け付けられる。前記調整ステップでは、入力された前記回答に基づいて当該回答に対応する前記質問に対応付けられた前記読取処理で読み取られる画像データの画質に関する第１設定項目の設定値が調整される。前記決定ステップでは、入力された前記回答に基づいて前記送信処理で送信される画像データの保護に用いられるパスワードが決定される。
【発明の効果】
【００１１】
本発明によれば、ユーザーの負担を増加させることなく、原稿から読み取られる画像データの画質の最適化及び外部へ送信される画像データの保護の両方を実現することが可能である。
【図面の簡単な説明】
【００１２】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置で表示される回答入力画面の一例を示す図である。
【図４】図４は、本発明の実施形態に係る画像形成装置で表示される回答入力画面の一例を示す図である。
【図５】図５は、本発明の実施形態に係る画像形成装置で実行されるデータ送信処理の一例を示すフローチャートである。
【図６】図６は、本発明の実施形態に係る画像形成装置で実行されるパスワード決定処理の一例を示すフローチャートである。
【図７】図７は、本発明の実施形態に係る画像形成装置で実行されるデータ印刷処理の一例を示すフローチャートである。
【発明を実施するための形態】
【００１３】
以下、添付図面を参照しながら、本発明の実施形態について説明する。なお、以下の実施形態は、本発明を具体化した一例であって、本発明の技術的範囲を限定するものではない。
【００１４】
［画像形成装置１０の構成］
まず、図１及び図２を参照しつつ、本発明の実施形態に係る画像形成装置１０の構成について説明する。ここで、図１は画像形成装置１０の構成を示す断面模式図である。
【００１５】
画像形成装置１０は、原稿から画像データを読み取るスキャン機能、及び画像データに基づいて画像を形成するプリント機能と共に、ファクシミリ機能、及びコピー機能などの複数の機能を有する複合機である。なお、画像形成装置１０は、ファクシミリ装置、及びコピー機などであってもよい。
【００１６】
図１及び図２に示されるように、画像形成装置１０は、ＡＤＦ（自動原稿搬送装置）１、画像読取部２、画像形成部３、給紙部４、制御部５、操作表示部６、通信部７、及び記憶部８を備える。なお、図２において、画像形成装置１０は二点鎖線によって示されている。ここに、画像読取部２、制御部５、操作表示部６、通信部７、及び記憶部８を備える装置が、本発明における画像読取装置の一例である。
【００１７】
ＡＤＦ１は、原稿セット部、複数の搬送ローラー、原稿押さえ、及び排紙部を備え、画像読取部２によって読み取られる原稿を搬送する。
【００１８】
画像読取部２は、原稿台、光源、複数のミラー、光学レンズ、及びＣＣＤを備え、原稿から画像データを読み取ることが可能である。
【００１９】
画像形成部３は、画像読取部２で読み取られた画像データに基づいて、電子写真方式でシートに画像を形成することが可能である。また、画像形成部３は、外部の情報処理装置から入力された画像データに基づいて、シートに画像を形成することも可能である。具体的に、画像形成部３は、感光体ドラム、帯電装置、光走査装置（ＬＳＵ）、現像装置、転写ローラー、クリーニング装置、定着ローラー、加圧ローラー、及び排紙トレイを備える。なお、画像形成部３は、インクジェット方式などの他の画像形成方式により画像を形成するものであってもよい。
【００２０】
給紙部４は、給紙カセット、及び複数の搬送ローラーを備え、画像形成部３にシートを供給する。画像形成部３は、給紙部４から供給されるシートに、画像データに基づく画像を形成する。画像形成部３による画像形成後のシートは、前記排紙トレイに排出される。
【００２１】
制御部５は、ＣＰＵ５Ａ、ＲＯＭ５Ｂ、及びＲＡＭ５Ｃなどの制御機器を備える。ＣＰＵ５Ａは、各種の演算処理を実行するプロセッサーである。ＲＯＭ５Ｂは、ＣＰＵ５Ａに各種の処理を実行させるための制御プログラムなどの情報が予め記憶される不揮発性の記憶装置である。ＲＡＭ５Ｃは、ＣＰＵ５Ａが実行する各種の処理の一時記憶メモリー（作業領域）として使用される揮発性の記憶装置である。制御部５では、ＣＰＵ５ＡによりＲＯＭ５Ｂに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００２２】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。ここに、操作表示部６が、本発明における表示部の一例である。
【００２３】
通信部７は、通信装置２０（図２参照）などの外部の通信装置との間で、通信ネットワーク３０を介して有線又は無線によるデータ通信を実行することが可能である。
【００２４】
記憶部８は、不揮発性の記憶装置である。例えば、記憶部８は、フラッシュメモリー、及びＥＥＰＲＯＭ（登録商標）などの不揮発性メモリー、ＳＳＤ（ソリッドステートドライブ）、並びにＨＤＤ（ハードディスクドライブ）などの記憶装置である。
【００２５】
記憶部８には、画像読取部２によって読み取られた画像データが格納される。また、記憶部８には、画像形成装置１０にログイン可能なユーザー各々に対応する認証情報が格納されている。前記認証情報は、画像形成装置１０によるユーザーの認証に用いられる。例えば、前記認証情報は、ユーザー名、及びパスワードである。また、記憶部８には、画像形成装置１０にログイン可能なユーザー各々に対応する通信装置２０（図２参照）の端末識別情報が格納されている。例えば、通信装置２０は、画像形成装置１０のユーザーが所持するスマートフォン、タブレット端末、ノートパソコン、又は携帯電話である。また、前記端末識別情報は、ＩＰアドレス、又はＭＡＣアドレスである。
【００２６】
ところで、原稿から読み取った画像データを外部へ送信する機能を有する画像読取装置が知られている。また、ユーザーによって入力されたパスワードを用いて送信対象の画像データを保護する機能を有する画像読取装置が知られている。
【００２７】
一方、印刷処理が実行される場合に当該印刷処理で印刷される印刷データに関する質問を出力して当該質問に対する回答の入力を受け付けることにより、当該印刷データに関する情報を収集可能な画像形成装置が知られている。
【００２８】
ここで、画像読取装置において、原稿から画像データが読み取られた後に当該画像データの画質に関する質問を出力して当該質問に対する回答の入力を受け付けることにより、当該画像読取装置のユーザーが好む画質を把握することが可能である。また、入力された回答に基づいて読取処理に関する設定値を調整することで、画像読取装置で読み取られる画像データの画質をユーザーの好みに合わせて最適化することが可能である。
【００２９】
しかしながら、上述の送信対象の画像データを保護する機能を有する画像読取装置において、画質に関する質問の出力及び当該質問に対する回答の入力の受け付けが実行される場合には、ユーザーはパスワードの入力に加えて質問に対する回答の入力を行わなければならず、その負担が増加する。
【００３０】
これに対し、本発明の実施形態に係る画像形成装置１０では、以下に説明するように、ユーザーの負担を増加させることなく、原稿から読み取られる画像データの画質の最適化及び外部へ送信される画像データの保護の両方を実現することが可能である。
【００３１】
具体的に、制御部５のＲＯＭ５Ｂには、制御部５のＣＰＵ５Ａに後述のデータ送信処理（図５のフローチャート参照）を実行させるためのデータ送信プログラムが予め格納されている。また、制御部５のＲＯＭ５Ｂには、制御部５のＣＰＵ５Ａに後述のデータ印刷処理（図７のフローチャート参照）を実行させるためのデータ印刷プログラムが予め格納されている。なお、前記データ送信プログラム及び前記データ印刷プログラムは、ＣＤ、ＤＶＤ、フラッシュメモリーなどのコンピューター読み取り可能な記録媒体に記録されており、前記記録媒体から読み取られて記憶部８に格納されてもよい。
【００３２】
そして、制御部５は、図２に示されるように、認証処理部５１、読取処理部５２、印刷処理部５３、送信処理部５４、受付処理部５５、決定処理部５６、報知処理部５７、第１調整処理部５８、記録処理部５９、及び第２調整処理部６０を含む。具体的に、制御部５は、ＣＰＵ５Ａを用いてＲＯＭ５Ｂに格納されている前記データ送信プログラム、及び前記データ印刷プログラムを実行する。これにより、制御部５は、認証処理部５１、読取処理部５２、印刷処理部５３、送信処理部５４、受付処理部５５、決定処理部５６、報知処理部５７、第１調整処理部５８、記録処理部５９、及び第２調整処理部６０として機能する。
【００３３】
認証処理部５１は、予め定められた認証操作に応じてユーザーをログインさせるログイン処理を実行する。
【００３４】
例えば、認証処理部５１は、操作表示部６に前記認証操作を行うことが可能な認証画面を必要に応じて表示させる。そして、認証処理部５１は、前記認証画面においてユーザーによる前記認証操作を受け付ける。例えば、前記認証操作は、ユーザー名、及びパスワードを入力する操作である。その後、認証処理部５１は、操作表示部６から入力された情報が記憶部８に格納されている前記認証情報のいずれかと一致する場合に認証成功と判断し、ユーザーを画像形成装置１０にログインさせる。
【００３５】
なお、認証処理部５１は、操作表示部６に対して予め定められたログアウト操作が行われた場合、予め設定された時間が経過した場合、又は他のユーザーをログインさせる場合に、現在ログイン中のユーザーをログアウトさせるログアウト処理を実行する。
【００３６】
読取処理部５２は、原稿から画像データを読み取る読取処理を実行する。
【００３７】
具体的に、読取処理部５２は、ＡＤＦ１の前記原稿セット部に原稿が載置されている場合は、当該原稿を読取対象とする前記読取処理を実行する。この場合、読取処理部５２は、ＡＤＦ１及び画像読取部２を用いて、前記読取処理を実行する。
【００３８】
また、読取処理部５２は、ＡＤＦ１の前記原稿セット部に原稿が載置されていない場合は、画像読取部２の前記原稿台に載置された原稿を読取対象とする前記読取処理を実行する。この場合、読取処理部５２は、画像読取部２を用いて、前記読取処理を実行する。
【００３９】
例えば、読取処理部５２は、操作表示部６におけるユーザーの操作に応じて、予め定められた読取設定画面を操作表示部６に表示させる。ここで、前記読取設定画面は、ユーザーによる前記読取処理の実行指示、及び前記読取処理で読み取られる画像データの画質に関する第１設定項目の設定値の変更指示の入力に用いられる画面である。例えば、前記読取設定画面では、読み取り画像の濃度の濃淡に関する前記第1設定項目である「濃度」、読み取り画像の輪郭の強弱に関する前記第1設定項目である「シャープネス」、読み取り画像の解像度に関する前記第1設定項目である「読み取り解像度」、及び読み取り画像に含まれる地色に関する前記第1設定項目である「地色除去」のそれぞれについて、設定値の変更指示の入力を行うことが可能である。例えば、前記読取設定画面では、「濃度」の設定値を０（最も薄い）から９（最も濃い）の範囲で設定することが可能である。
【００４０】
ここで、画像形成装置１０では、画像形成装置１０にログイン可能なユーザーごとに、前記第１設定項目各々の初期設定値が予め定められている。例えば、記憶部８には、ユーザー各々に対応する初期設定値情報が予め格納されている。ここで、前記初期設定値情報は、前記第１設定項目各々の初期設定値を示す情報である。
【００４１】
例えば、読取処理部５２は、前記読取設定画面を操作表示部６に表示させる場合に、ログイン中のユーザーに対応する前記初期設定値情報を記憶部８から読み出す。そして、読取処理部５２は、読み出された前記初期設定値情報に基づいて、前記読取設定画面に表示される前記第１設定項目各々の設定値を決定する。
【００４２】
そして、読取処理部５２は、前記読取設定画面においていずれかの前記第１設定項目の設定値について変更指示が入力された場合に、当該変更指示に応じて変更対象の前記第１設定項目の設定値を変更する。また、読取処理部５２は、前記読取設定画面において前記読取処理の実行指示が入力された場合に、前記読取処理を実行する。ここで、読取処理部５２は、当該読取処理で読み取られる画像データの画質が、前記第１設定項目各々について前記読取設定画面で設定された設定値に従ったものとなるように、前記読取処理を実行する。例えば、読取処理部５２は、読み取られた画像データに対して実行される各種の画像処理において前記第１設定項目各々の設定値を反映させる。前記読取処理で読み取られた画像データは、記憶部８に格納される。
【００４３】
なお、制御部５は、認証処理部５１を含んでいなくてもよい。この場合、記憶部８には、画像形成装置１０の全てのユーザーに共通の一つの前記初期設定値情報が格納されていればよい。
【００４４】
印刷処理部５３は、画像データに基づく画像をシートに印刷する印刷処理を実行する。
【００４５】
具体的に、印刷処理部５３は、操作表示部６におけるユーザーの操作によって記憶部８に格納されているいずれかの画像データの印刷指示が入力された場合に、当該画像データを印刷対象とする前記印刷処理を実行する。また、印刷処理部５３は、外部から画像データ及び当該画像データの印刷指示を受信した場合に、当該画像データを印刷対象とする前記印刷処理を実行する。これらの場合、印刷処理部５３は、画像形成部３、及び給紙部４を用いて、前記印刷処理を実行する。
【００４６】
例えば、印刷処理部５３は、操作表示部６におけるユーザーの操作に応じて、予め定められた第１指定画面を操作表示部６に表示させる。ここで、前記第１指定画面は、印刷対象の指定に用いられる画面であって、例えば、記憶部８に格納されている画像データ各々のサムネイル画像が指定可能に表示される。
【００４７】
前記第１指定画面で印刷対象の画像データが指定されると、印刷処理部５３は、予め定められた印刷設定画面を操作表示部６に表示させる。ここで、前記印刷設定画面は、ユーザーによる前記印刷処理の実行指示、及び前記印刷処理で印刷される画像の画質に関する第２設定項目の設定値の変更指示の入力に用いられる画面である。例えば、前記印刷設定画面では、印刷画像の濃度の濃淡に関する前記第２設定項目である「濃度」、印刷画像の輪郭の強弱に関する前記第２設定項目である「シャープネス」、及び印刷画像に含まれる地色に関する前記第２設定項目である「地色除去」のそれぞれについて、設定値の変更指示の入力を行うことが可能である。例えば、前記印刷設定画面では、「濃度」の設定値を０（最も薄い）から９（最も濃い）の範囲で設定することが可能である。なお、前記印刷設定画面に表示される前記第２設定項目各々の設定値は、第２調整処理部６０による処理が実行されない場合は、予め定められた初期設定値に決定される。
【００４８】
そして、印刷処理部５３は、前記印刷設定画面においていずれかの前記第２設定項目の設定値について変更指示が入力された場合に、当該変更指示に応じて変更対象の前記第２設定項目の設定値を変更する。また、印刷処理部５３は、前記印刷設定画面において前記印刷処理の実行指示が入力された場合に、前記印刷処理を実行する。ここで、印刷処理部５３は、前記印刷処理で印刷される画像の画質が、前記第２設定項目各々について前記印刷設定画面で設定された設定値に従ったものとなるように、前記印刷処理を実行する。例えば、印刷処理部５３は、印刷対象の画像データに対して実行される各種の画像処理において前記第２設定項目各々の設定値を反映させる。
【００４９】
また、印刷処理部５３は、外部から画像データ及び当該画像データの印刷指示を受信した場合に、当該印刷指示で指定された前記第２設定項目各々の設定値に従って、前記印刷処理を実行する。この場合、前記第２設定項目各々の設定値は、画像データ及び印刷指示の送信元で設定される。
【００５０】
送信処理部５４は、前記読取処理によって読み取られて記憶部８に格納された画像データを外部へ送信する送信処理を実行する。
【００５１】
例えば、送信処理部５４は、操作表示部６におけるユーザーの操作に応じて、予め定められた第２指定画面を操作表示部６に表示させる。ここで、前記第２指定画面は、送信対象の指定に用いられる画面であって、例えば、記憶部８に格納されている画像データ各々のサムネイル画像が指定可能に表示される。
【００５２】
前記第２指定画面で送信対象の画像データが指定されると、送信処理部５４は、予め定められた送信設定画面を操作表示部６に表示させる。ここで、前記送信設定画面は、ユーザーによる送信先、及び前記送信処理の実行指示の入力などに用いられる画面である。
【００５３】
そして、送信処理部５４は、前記送信設定画面において前記送信処理の実行指示が入力された場合に、以下に述べる受付処理部５５、及び決定処理部５６による処理が終了するまで待機する。
【００５４】
受付処理部５５は、前記送信処理が実行される場合に、送信対象の画像データの画質に関する項目についての質問Ｘ２０（図３参照）を出力して、当該質問Ｘ２０に対する回答の入力を受け付ける。
【００５５】
例えば、受付処理部５５は、複数の前記項目のそれぞれについて質問Ｘ２０を出力するとともに、質問Ｘ２０ごとに当該質問Ｘ２０に対応する複数の回答候補Ｘ２０１〜Ｘ２０５（図３参照）を出力して、当該複数の回答候補Ｘ２０１〜Ｘ２０５のいずれかを指定する操作を前記回答の入力として受け付ける。例えば、複数の前記項目は、「濃度」、「シャープネス」、「読み取り解像度」、及び「地色除去」である。
【００５６】
また、受付処理部５５は、複数の前記項目のうち予め定められた特定項目については質問Ｘ２０を複数回出力する。
【００５７】
例えば、受付処理部５５は、図３及び図４に示される回答入力画面Ｘ１０を操作表示部６に表示させる。
【００５８】
ここで、回答入力画面Ｘ１０は、複数の質問Ｘ２０及び当該質問Ｘ２０各々に対応する複数の回答候補Ｘ２０１〜Ｘ２０５の表示、並びに質問Ｘ２０各々に対する前記回答の入力に用いられる画面である。回答入力画面Ｘ１０には、メッセージ欄Ｘ１１、画像表示欄Ｘ１２、質問表示欄Ｘ１３、及びスクロールバーＸ１４が含まれる。
【００５９】
メッセージ欄Ｘ１１には、ユーザーへのメッセージが表示される。画像表示欄Ｘ１２には、送信対象の画像データＸ１２１が表示される。なお、図３及び図４では、送信対象の画像データＸ１２１にハッチングが施されている。
【００６０】
質問表示欄Ｘ１３には、複数の質問Ｘ２０、及び当該質問Ｘ２０各々に対応する複数の回答候補Ｘ２０１〜Ｘ２０５が表示される。具体的に、質問表示欄Ｘ１３には、「濃度」の前記項目に対応する質問Ｘ２１、「シャープネス」の前記項目に対応する質問Ｘ２２、「読み取り解像度」の前記項目に対応する質問Ｘ２３、「地色除去」の前記項目に対応する質問Ｘ２４、及び「濃度」の前記項目に対応する質問Ｘ２５が表示される。また、質問表示欄Ｘ１３には、質問Ｘ２１に対応する複数の回答候補Ｘ２１１〜Ｘ２１５、質問Ｘ２２に対応する複数の回答候補Ｘ２２１〜Ｘ２２５、質問Ｘ２３に対応する複数の回答候補Ｘ２３１〜Ｘ２３５、質問Ｘ２４に対応する複数の回答候補Ｘ２４１〜Ｘ２４５、及び質問Ｘ２５に対応する複数の回答候補Ｘ２５１〜Ｘ２５５が表示される。ここで、質問Ｘ２１及び質問Ｘ２５に対応する前記項目である「濃度」が、前記特定項目の一例である。なお、質問Ｘ２５の表現は、「送信画像の濃度は薄いですか。」などのように質問Ｘ２１とは異なっていてもよい。
【００６１】
質問表示欄Ｘ１３には、複数の回答候補Ｘ２０１〜Ｘ２０５のそれぞれに対応するラジオボタンが設けられている。画像形成装置１０のユーザーは、複数の回答候補Ｘ２０１〜Ｘ２０５のいずれかに対応するラジオボタンをタップ操作することで、前記回答を入力することが可能である。また、質問表示欄Ｘ１３の最下部には、回答ボタンＸ３０（図４参照）が設けられている。画像形成装置１０のユーザーは、回答ボタンＸ３０をタップ操作することで、回答入力画面Ｘ１０における入力内容を確定させることが可能である。
【００６２】
スクロールバーＸ１４は、質問表示欄Ｘ１３に表示される表示内容の上下方向への移動に用いられる（図３及び図４参照）。
【００６３】
なお、複数の前記項目は、前記特定項目を含んでいなくてもよい。即ち、受付処理部５５は、複数の前記項目のそれぞれについて、一つの質問Ｘ２０を出力してよい。また、前記特定項目についての質問Ｘ２０は、三つ以上であってもよい。
【００６４】
また、受付処理部５５は、質問Ｘ２０に対する前記回答を文字入力によって受け付けてもよい。また、受付処理部５５は、質問Ｘ２０を音声によって出力し、当該質問Ｘ２０に対応する前記回答を音声入力によって受け付けてもよい。また、受付処理部５５は、一つの質問Ｘ２０を出力して、当該質問Ｘ２０に対する一つの前記回答の入力を受け付けてもよい。
【００６５】
決定処理部５６は、入力された前記回答に基づいて、前記送信処理で送信される画像データの保護に用いられるパスワードを決定する。
【００６６】
例えば、決定処理部５６は、入力された前記回答各々を当該回答に対応する文字に変換して、当該変換により得られる複数の文字により構成される第１文字列を前記パスワードの一部として決定する。なお、前記回答に対応する文字は、アルファベット、数字、又は記号である。
【００６７】
例えば、画像形成装置１０には、回答候補Ｘ２１１〜Ｘ２１５、回答候補Ｘ２２１〜Ｘ２２５、回答候補Ｘ２３１〜Ｘ２３５、回答候補Ｘ２４１〜Ｘ２４５、及び回答候補Ｘ２５１〜Ｘ２５５のそれぞれに対応付けられた一つの文字を示すテーブルデータが予め記憶部８に格納されている。
【００６８】
決定処理部５６は、前記テーブルデータを用いて、入力された前記回答各々を当該回答に対応する文字に変換する。そして、決定処理部５６は、当該変換により得られる複数の文字が当該文字に対応する前記回答の入力順に左から並んで構成される文字列を前記第１文字列として取得する。
【００６９】
また、決定処理部５６は、乱数に基づいて予め定められた文字数で構成される第２文字列を生成する。前記文字数は、受付処理部５５によって出力される質問Ｘ２０の数が少ないほど、多い数に定められることが望ましい。そして、決定処理部５６は、取得された前記第１文字列に、生成された前記第２文字列を連結して得られる文字列を、前記パスワードとして決定する。
【００７０】
なお、決定処理部５６は、前記第１文字列を前記パスワードとして決定してもよい。また、決定処理部５６は、前記テーブルデータを用いた変換により得られる複数の文字を当該文字に対応する前記回答の入力順とは無関係に並んで構成される文字列を前記第１文字列として取得してもよい。また、決定処理部５６は、前記回答が文字入力によって受け付けられる場合は、入力された文字列を予め定められた規則に基づいて一又は複数の文字に変換して、当該変換により得られる複数の文字に基づいて前記第１文字列を取得してもよい。
【００７１】
送信処理部５４は、決定処理部５６によって前記パスワードが決定されると、前記送信処理における送信対象の画像データを保護する保護処理を実行する。例えば、前記保護処理では、送信対象の画像データに対して圧縮処理が施され、圧縮後のデータに対して前記パスワードを用いた暗号化処理が施される。そして、送信処理部５４は、前記保護処理の終了後に、前記送信処理を実行する。また、送信処理部５４は、送信対象の画像データの識別に用いられる識別情報と、当該画像データについて取得された複数の前記回答を示す回答情報とを対応付けて、それらの情報を記憶部８に格納する。
【００７２】
報知処理部５７は、前記第１文字列を予め定められた第１出力部を介して報知するとともに、前記第２文字列を前記第１出力部とは異なる第２出力部を介して報知する。
【００７３】
例えば、報知処理部５７は、前記第１文字列を操作表示部６に表示させて報知する。即ち、操作表示部６が前記第１出力部の一例である。また、報知処理部５７は、前記第２文字列を画像形成装置１０にログインしているユーザーに対応する通信装置２０に送信する。即ち、通信部７が前記第２出力部の一例である。なお、報知処理部５７は、記憶部８に格納されている前記端末識別情報に基づいて、画像形成装置１０にログインしているユーザーに対応する通信装置２０を特定することが可能である。ここに、報知対象の文字列を操作表示部６に表示させる方法が、本発明における第１方法の一例である。また、報知対象の文字列をログイン中のユーザーに対応する通信装置２０に送信する方法が、本発明における第２方法の一例である。
【００７４】
なお、報知処理部５７は、前記第１文字列を前記第２出力部を介して報知するとともに、前記第２文字列を前記第１出力部を介して報知してもよい。また、報知処理部５７は、スピーカーを用いて前記第１文字列又は前記第２文字列を音声出力してもよい。また、報知処理部５７は、前記パスワードを前記第１出力部及び前記第２出力部のいずれかのみを介して報知してもよい。
【００７５】
第１調整処理部５８は、入力された前記回答に基づいて、当該回答に対応する質問Ｘ２０に対応付けられた前記第１設定項目の設定値を調整する。
【００７６】
たとえば、第１調整処理部５８は、画像形成装置１０にログイン可能なユーザーごとに、前記第１設定項目各々の設定値を調整する。具体的に、第１調整処理部５８は、ログイン中のユーザーに対応する前記初期設定値情報を変更することで、前記第１設定項目各々の設定値を調整する。
【００７７】
例えば、画像形成装置１０では、質問Ｘ２１に前記第１設定項目である「濃度」が対応付けられている。また、画像形成装置１０では、質問Ｘ２２に前記第１設定項目である「シャープネス」が対応付けられている。また、画像形成装置１０では、質問Ｘ２３に前記第１設定項目である「読み取り解像度」が対応付けられている。また、画像形成装置１０では、質問Ｘ２４に前記第１設定項目である「地色除去」が対応付けられている。
【００７８】
そして、第１調整処理部５８は、質問Ｘ２１に対する前記回答が回答候補Ｘ２１１（図３参照）である場合に、ログイン中のユーザーに対応する前記初期設定値情報に含まれる「濃度」の設定値を現在の設定値から２つ下げる。
【００７９】
また、第１調整処理部５８は、質問Ｘ２１に対する前記回答が回答候補Ｘ２１２である場合に、ログイン中のユーザーに対応する前記初期設定値情報に含まれる「濃度」の設定値を現在の設定値から１つ下げる。
【００８０】
また、第１調整処理部５８は、質問Ｘ２１に対する前記回答が回答候補Ｘ２１４である場合に、ログイン中のユーザーに対応する前記初期設定値情報に含まれる「濃度」の設定値を現在の設定値から１つ上げる。
【００８１】
また、第１調整処理部５８は、質問Ｘ２１に対する前記回答が回答候補Ｘ２１５である場合に、ログイン中のユーザーに対応する前記初期設定値情報に含まれる「濃度」の設定値を現在の設定値から２つ上げる。
【００８２】
なお、第１調整処理部５８は、質問Ｘ２１に対する前記回答が回答候補Ｘ２１３である場合は、ログイン中のユーザーに対応する前記初期設定値情報に含まれる「濃度」の設定値を現在の設定値から変更しない。
【００８３】
ここで、第１調整処理部５８は、前記特定項目についての質問Ｘ２０である質問Ｘ２１及び質問Ｘ２５に対応する複数の前記回答が一致する場合に、入力された複数の前記回答に基づいて前記第１設定項目各々の設定値を調整する。一方、第１調整処理部５８は、質問Ｘ２１及び質問Ｘ２５に対応する複数の前記回答が一致しない場合には、前記第１設定項目各々の設定値を調整しない。
【００８４】
記録処理部５９は、受付処理部５５による処理が実行されるごとに、第１調整処理部５８による前記第１設定項目の設定値の変更の有無を記録する。
【００８５】
例えば、記録処理部５９は、受付処理部５５による処理が実行されるごとに、受付処理部５５による処理の日時、及び第１調整処理部５８による前記第１設定項目の設定値の変更の有無を示す変更履歴情報を記憶部８に格納する。なお、記録処理部５９は、質問Ｘ２１及び質問Ｘ２５に対応する複数の前記回答が一致しないために前記第１設定項目各々の設定値が調整されない場合は、前記変更履歴情報を記憶部８に格納しない。
【００８６】
ここで、受付処理部５５は、第１調整処理部５８による前記第１設定項目の設定値の変更が予め定められた特定回数以上連続して行われていない場合に、質問Ｘ２０の出力及び前記回答の入力の受け付けに替えて、第３文字列の入力を受け付ける。例えば、前記特定回数は３回である。なお、前記特定回数は、操作表示部６におけるユーザーの操作によって任意に設定されてよい。また、受付処理部５５は、前記変更履歴情報に基づいて、第１調整処理部５８による前記第１設定項目の設定値の変更が前記特定回数以上連続して行われているか否かを判断することが可能である。
【００８７】
また、決定処理部５６は、受付処理部５５によって前記第３文字列の入力が受け付けられた場合に、入力された前記第３文字列を前記パスワードとして決定する。
【００８８】
第２調整処理部６０は、前記送信処理によって送信された画像データに基づいて前記印刷処理が実行される場合に、当該画像データについて取得された前記回答に基づいて当該回答に対応する質問Ｘ２０に対応付けられた前記第２設定項目の設定値を調整する。
【００８９】
具体的に、第２調整処理部６０は、前記第１指定画面で印刷対象の画像データが指定された場合に、記憶部８に格納された前記識別情報に基づいて、当該画像データが前記送信処理によって送信された画像データであるか否かを判断する。そして、第２調整処理部６０は、印刷対象の画像データが前記送信処理によって送信された画像データであると判断した場合に、当該画像データの前記識別情報に対応付けられた前記回答情報に基づいて、前記第２設定項目各々の設定値を調整する。
【００９０】
例えば、画像形成装置１０では、質問Ｘ２１に「濃度」の前記第２設定項目が対応付けられている。また、画像形成装置１０では、質問Ｘ２２に「シャープネス」の前記第２設定項目が対応付けられている。また、画像形成装置１０では、質問Ｘ２４に「地色除去」の前記第２設定項目が対応付けられている。
【００９１】
そして、第２調整処理部６０は、質問Ｘ２１に対する前記回答が回答候補Ｘ２１１（図３参照）である場合に、前記印刷設定画面に表示される「濃度」の前記第２設定項目の設定値を初期設定値から２減少させる。
【００９２】
また、第２調整処理部６０は、質問Ｘ２１に対する前記回答が回答候補Ｘ２１２である場合に、前記印刷設定画面に表示される「濃度」の前記第２設定項目の設定値を初期設定値から１減少させる。
【００９３】
また、第２調整処理部６０は、質問Ｘ２１に対する前記回答が回答候補Ｘ２１４である場合に、前記印刷設定画面に表示される「濃度」の前記第２設定項目の設定値を初期設定値から１増加させる。
【００９４】
また、第２調整処理部６０は、質問Ｘ２１に対する前記回答が回答候補Ｘ２１５である場合に、前記印刷設定画面に表示される「濃度」の前記第２設定項目の設定値を初期設定値から２増加させる。
【００９５】
なお、第２調整処理部６０は、質問Ｘ２１に対する前記回答が回答候補Ｘ２１３である場合は、前記印刷設定画面に表示される「濃度」の前記第２設定項目の設定値を初期設定値から変更しない。
【００９６】
［データ送信処理］
以下、図５を参照しつつ、画像形成装置１０において制御部５により実行されるデータ送信処理の手順の一例について説明する。ここで、ステップＳ１１、Ｓ１２・・・は、制御部５により実行される処理手順（ステップ）の番号を表している。なお、前記データ送信処理は、操作表示部６において前記データ送信処理の実行を指示する操作が行われた場合に実行される。
【００９７】
なお、前記データ送信処理では、前記読取処理によって読み取られて記憶部８に格納された画像データが外部へ送信される。ここに、前記データ送信処理の前に実行される制御部５の読取処理部５２による処理が、本発明における読取ステップの一例である。
【００９８】
＜ステップＳ１１＞
まず、ステップＳ１１において、制御部５は、前記第２指定画面を操作表示部６に表示させる。
【００９９】
＜ステップＳ１２＞
ステップＳ１２において、制御部５は、前記第２指定画面において送信対象の画像データが指定されたか否かを判断する。
【０１００】
ここで、制御部５は、送信対象の画像データが指定されたと判断すると（Ｓ１２のＹｅｓ側）、処理をステップＳ１３に移行させる。また、送信対象の画像データが指定されていなければ（Ｓ１２のＮｏ側）、制御部５は、ステップＳ１２で送信対象の画像データが指定されるのを待ち受ける。
【０１０１】
＜ステップＳ１３＞
ステップＳ１３において、制御部５は、前記送信設定画面を操作表示部６に表示させる。
【０１０２】
＜ステップＳ１４＞
ステップＳ１４において、制御部５は、前記送信設定画面において送信先が設定された状態で前記送信処理の実行指示が入力されたか否かを判断する。ここで、ステップＳ１１〜ステップＳ１４までの処理は、制御部５の送信処理部５４により実行される。
【０１０３】
ここで、制御部５は、送信先が設定された状態で前記送信処理の実行指示が入力されたと判断すると（Ｓ１４のＹｅｓ側）、処理をステップＳ１５に移行させる。また、送信先が設定された状態で前記送信処理の実行指示が入力されていなければ（Ｓ１４のＮｏ側）、制御部５は、ステップＳ１４で送信先が設定された状態で前記送信処理の実行指示が入力されるのを待ち受ける。
【０１０４】
＜ステップＳ１５＞
ステップＳ１５において、制御部５は、以下に説明するパスワード決定処理を実行する。
【０１０５】
［パスワード決定処理］
次に、図６を参照しつつ、前記データ送信処理のステップＳ１５で実行されるパスワード決定処理の手順の一例とともに、本発明に係るパスワード決定方法について説明する。
【０１０６】
＜ステップＳ２１＞
まず、ステップＳ２１において、制御部５は、記憶部８に格納されている前記変更履歴情報に基づいて、前記第１設定項目の設定値の変更が前記特定回数以上連続して行われていないか否かを判断する。
【０１０７】
ここで、制御部５は、前記第１設定項目の設定値の変更が前記特定回数以上連続して行われていないと判断すると（Ｓ２１のＹｅｓ側）、処理をステップＳ３１に移行させる。また、前記第１設定項目の設定値の変更が前記特定回数以上連続して行われていないのでなければ（Ｓ２１のＮｏ側）、制御部５は、処理をステップＳ２２に移行させる。
【０１０８】
＜ステップＳ２２＞
ステップＳ２２において、制御部５は、操作表示部６に回答入力画面Ｘ１０（図３及び図４参照）を表示させる。ここに、ステップＳ２２の処理が、本発明における受付ステップの一例であって、制御部５の受付処理部５５により実行される。
【０１０９】
ここで、回答入力画面Ｘ１０では、複数の質問Ｘ２０（図３参照）が表示されるとともに、質問Ｘ２０ごとに当該質問Ｘ２０に対応する複数の回答候補Ｘ２０１〜Ｘ２０５が表示される。そして、回答入力画面Ｘ１０では、当該複数の回答候補Ｘ２０１〜Ｘ２０５のいずれかが指定されて回答ボタンＸ３０が操作されることで、前記回答の入力が受け付けられる。そのため、前記回答が文字入力により受け付けられる構成と比較して、前記回答を入力するユーザーの負担が軽減される。
【０１１０】
＜ステップＳ２３＞
ステップＳ２３において、制御部５は、回答入力画面Ｘ１０において前記回答が入力されたか否かを判断する。
【０１１１】
ここで、制御部５は、回答入力画面Ｘ１０において前記回答が入力されたと判断すると（Ｓ２３のＹｅｓ側）、処理をステップＳ２４に移行させる。また、回答入力画面Ｘ１０において前記回答が入力されていなければ（Ｓ２３のＮｏ側）、制御部５は、ステップＳ２３で前記回答が入力されるのを待ち受ける。
【０１１２】
＜ステップＳ２４＞
ステップＳ２４において、制御部５は、入力された前記回答に基づいて、前記パスワードを決定する。ここに、ステップＳ２４の処理が、本発明における決定ステップの一例であって、制御部５の決定処理部５６により実行される。
【０１１３】
ここで、ステップＳ２４では、入力された前記回答各々に基づいて取得される前記第１文字列と、乱数に基づいて生成される前記第２文字列とによる結合体が、前記パスワードとして決定される。これにより、前記第１文字列が前記パスワードとして決定される構成と比較して、前記パスワードをより複雑化させることが可能である。
【０１１４】
＜ステップＳ２５＞
ステップＳ２５において、制御部５は、送信対象の画像データに対して前記保護処理を実行する。
【０１１５】
＜ステップＳ２６＞
ステップＳ２６において、制御部５は、前記送信処理を実行する。また、制御部５は、送信対象の画像データの前記識別情報と、当該画像データについて取得された複数の前記回答を示す前記回答情報とを対応付けて、それらの情報を記憶部８に格納する。ここで、ステップＳ２５及びステップＳ２６の処理は、制御部５の送信処理部５４により実行される。
【０１１６】
＜ステップＳ２７＞
ステップＳ２７において、制御部５は、ステップＳ２４で決定された前記パスワードを報知する。ここで、ステップＳ２７の処理は、制御部５の報知処理部５７により実行される。
【０１１７】
ここで、制御部５は、前記パスワードの一部を構成する前記第１文字列を前記第１方法により報知するとともに、前記パスワードの残部を構成する前記第２文字列を前記第２方法により報知する。これにより、前記パスワードを一つの方法によって報知する構成と比較して、前記パスワードの漏洩のリスクを低減することが可能である。
【０１１８】
＜ステップＳ２８＞
ステップＳ２８において、制御部５は、回答入力画面Ｘ１０に表示された前記特定項目についての複数の質問Ｘ２０である質問Ｘ２１及び質問Ｘ２５に対応する複数の前記回答が一致するか否かを判断する。
【０１１９】
ここで、制御部５は、質問Ｘ２１及び質問Ｘ２５に対応する複数の前記回答が一致すると判断すると（Ｓ２８のＹｅｓ側）、処理をステップＳ２９に移行させる。また、質問Ｘ２１及び質問Ｘ２５に対応する複数の前記回答が一致しなければ（Ｓ２８のＮｏ側）、制御部５は、前記パスワード決定処理を終了させる。
【０１２０】
ステップＳ２８の処理が実行されることで、画像形成装置１０のユーザーが真面目に複数の質問Ｘ２０のそれぞれに回答していない場合に、当該ユーザーによる回答が前記読取処理によって読み取られる画像データの画質に反映されることが回避される。
【０１２１】
＜ステップＳ２９＞
ステップＳ２９において、制御部５は、入力された前記回答に基づいて、当該回答に対応する質問Ｘ２０に対応付けられた前記第１設定項目の設定値を調整する。ここに、ステップＳ２９の処理が、本発明における調整ステップの一例であって、制御部５の第１調整処理部５８により実行される。
【０１２２】
ステップＳ２９の処理が実行されることで、その後操作表示部６に表示される前記読取設定画面に含まれる前記第１設定項目各々の設定値が、送信対象の画像データについて入力された複数の前記回答を反映したものに調整される。
【０１２３】
＜ステップＳ３０＞
ステップＳ３０において、制御部５は、ステップＳ２９における前記第１設定項目の設定値の変更の有無を記録する。ここで、ステップＳ３０の処理は、制御部５の記録処理部５９により実行される。
【０１２４】
例えば、制御部５は、前記変更履歴情報を記憶部８に格納する。
【０１２５】
＜ステップＳ３１＞
一方、ステップＳ２１で前記第１設定項目の設定値の変更が前記特定回数以上連続して行われていないと判断された場合、ステップＳ３１の処理が実行される。ステップＳ３１において、制御部５は、前記第３文字列の入力に用いられるパスワード入力画面を操作表示部６に表示させる。ここで、ステップＳ３１の処理は、制御部５の受付処理部５５により実行される。
【０１２６】
＜ステップＳ３２＞
ステップＳ３２において、制御部５は、前記パスワード入力画面において前記第３文字列が入力されたか否かを判断する。
【０１２７】
ここで、制御部５は、前記第３文字列が入力されたと判断すると（Ｓ３２のＹｅｓ側）、処理をステップＳ３３に移行させる。また、前記第３文字列が入力されていなければ（Ｓ３２のＮｏ側）、制御部５は、ステップＳ３２で前記第３文字列が入力されるのを待ち受ける。
【０１２８】
＜ステップＳ３３＞
ステップＳ３３において、制御部５は、入力された前記第３文字列を前記パスワードとして決定する。ここで、ステップＳ３３の処理は、制御部５の決定処理部５６により実行される。
【０１２９】
ステップＳ２１、及びステップＳ３１〜ステップＳ３３までの処理が実行されることで、前記読取処理で読み取られる画像データの画質が既に最適化されている場合に、前記パスワードが固定化されることが回避される。
【０１３０】
＜ステップＳ３４＞
ステップＳ３４において、制御部５は、前記保護処理を実行する。
【０１３１】
＜ステップＳ３５＞
ステップＳ３５において、制御部５は、前記送信処理を実行する。ここで、ステップＳ３４及びステップＳ３５の処理は、制御部５の送信処理部５４により実行される。
【０１３２】
［データ印刷処理］
次に、図７を参照しつつ、画像形成装置１０において制御部５により実行されるデータ印刷処理の手順の一例について説明する。なお、前記データ印刷処理は、操作表示部６において前記データ印刷処理の実行を指示する操作が行われた場合に実行される。
【０１３３】
＜ステップＳ４１＞
まず、ステップＳ４１において、制御部５は、前記第１指定画面を操作表示部６に表示させる。
【０１３４】
＜ステップＳ４２＞
ステップＳ４２において、制御部５は、前記第１指定画面において印刷対象の画像データが指定されたか否かを判断する。
【０１３５】
ここで、制御部５は、印刷対象の画像データが指定されたと判断すると（Ｓ４２のＹｅｓ側）、処理をステップＳ４３に移行させる。また、印刷対象の画像データが指定されていなければ（Ｓ４２のＮｏ側）、制御部５は、ステップＳ４２で印刷対象の画像データが指定されるのを待ち受ける。
【０１３６】
＜ステップＳ４３＞
ステップＳ４３において、制御部５は、記憶部８に格納されている前記識別情報に基づいて、前記第１指定画面で印刷対象として指定された画像データが前記送信処理によって送信された画像データであるか否かを判断する。
【０１３７】
ここで、制御部５は、印刷対象の画像データが前記送信処理によって送信された画像データであると判断すると（Ｓ４３のＹｅｓ側）、処理をステップＳ４４に移行させる。また、印刷対象の画像データが前記送信処理によって送信された画像データでなければ（Ｓ４３のＮｏ側）、制御部５は、処理をステップＳ４５に移行させる。
【０１３８】
＜ステップＳ４４＞
ステップＳ４４において、制御部５は、印刷対象の画像データの前記識別情報に対応付けられた前記回答情報に基づいて、前記第２設定項目各々の設定値を調整する。ここで、ステップＳ４３及びステップＳ４４の処理は、制御部５の第２調整処理部６０により実行される。
【０１３９】
ステップＳ４４の処理が実行されることで、次のステップＳ４５で表示される前記印刷設定画面に含まれる前記第２設定項目各々の設定値が、印刷対象の画像データについて入力された複数の前記回答を反映したものに調整される。
【０１４０】
＜ステップＳ４５＞
ステップＳ４５において、制御部５は、前記印刷設定画面を表示させる。
【０１４１】
＜ステップＳ４６＞
ステップＳ４６において、制御部５は、前記印刷設定画面においていずれかの前記第２設定項目の設定値について変更指示が入力されたか否かを判断する。
【０１４２】
ここで、制御部５は、いずれかの前記第２設定項目の設定値について変更指示が入力されたと判断すると（Ｓ４６のＹｅｓ側）、処理をステップＳ４７に移行させる。また、いずれの前記第２設定項目の設定値についても変更指示が入力されていなければ（Ｓ４６のＮｏ側）、制御部５は、処理をステップＳ４８に移行させる。
【０１４３】
＜ステップＳ４７＞
ステップＳ４７において、制御部５は、入力された変更指示に応じて変更対象の前記第２設定項目の設定値を変更する。
【０１４４】
＜ステップＳ４８＞
ステップＳ４８において、制御部５は、前記印刷設定画面において前記印刷処理の実行指示が入力されたか否かを判断する。
【０１４５】
ここで、制御部５は、前記印刷処理の実行指示が入力されたと判断すると（Ｓ４８のＹｅｓ側）、処理をステップＳ４９に移行させる。また、前記印刷処理の実行指示が入力されていなければ（Ｓ４８のＮｏ側）、制御部５は、処理をステップＳ４６に移行させる。
【０１４６】
＜ステップＳ４９＞
ステップＳ４９において、制御部５は、前記印刷処理を実行する。ここで、ステップＳ４１、ステップＳ４２、及びステップＳ４５〜ステップＳ４９までの処理は、制御部５の印刷処理部５３により実行される。
【０１４７】
このように、画像形成装置１０では、前記送信処理が実行される場合に、送信対象の画像データの画質に関する項目についての質問Ｘ２０（図３参照）が出力されて、当該質問Ｘ２０に対する回答の入力が受け付けられる。そして、入力された前記回答に基づいて、当該回答に対応する質問Ｘ２０に対応付けられた前記第１設定項目の設定値が調整されるとともに、前記パスワードが設定される。そのため、ユーザーの負担を増加させることなく、原稿から読み取られる画像データの画質の最適化及び外部へ送信される画像データの保護の両方を実現することが可能である。
【０１４８】
また、画像形成装置１０では、前記送信処理によって送信された画像データに基づいて前記印刷処理が実行される場合に、当該画像データについて取得された前記回答に基づいて当該回答に対応する質問Ｘ２０に対応付けられた前記第２設定項目の設定値が調整される。そのため、前記送信処理によって送信された画像データに基づいて前記印刷処理が実行される場合に、前記第２設定項目の設定値を調整するユーザーの手間を省くことが可能である。
【符号の説明】
【０１４９】
１    ＡＤＦ
２    画像読取部
３    画像形成部
４    給紙部
５    制御部
６    操作表示部
７    通信部
８    記憶部
１０  画像形成装置
５１  認証処理部
５２  読取処理部
５３  印刷処理部
５４  送信処理部
５５  受付処理部
５６  決定処理部
５７  報知処理部
５８  第１調整処理部
５９  記録処理部
６０  第２調整処理部
【図１】
2020123764.tif 000003
【図２】
2020123764.tif 000004
【図３】
2020123764.tif 000005
【図４】
2020123764.tif 000006
【図５】
2020123764.tif 000007
【図６】
2020123764.tif 000008
【図７】
2020123764.tif 000009